(57)【要約】【課題】磁気テープを巻装した単一のリールがカートリッジケース内に回転可能に収容され、このカートリッジケースに、磁気テープの一端を引き出すためのテープ引出し用開口部を開閉するスライドドアがバネ部材で閉方向に付勢されて設けられてなる磁気テープカートリッジにおいて、バネ部材およびスライドドアの組み付けを容易に行う。【解決手段】  スライドドア３とバネ部材２０とを別体のケース内に組み込んだドアユニット３０をカートリッジケース１の一側に取り付け、スライドドア３を仮止めする係合手段を設ける。【選択図】図３０
2006294253.tif 000002
【特許請求の範囲】
【請求項１】
磁気テープを巻装した単一のリールがカートリッジケース内に回転可能に収容され、該カートリッジケースに、前記磁気テープの一端を引き出すためのテープ引出し用開口部を開閉するスライドドアが設けられてなる磁気テープカートリッジにおいて、
前記スライドドアと、該スライドドアを閉位置に向かって付勢するバネ部材とを別体のケース内に組み込んだドアユニットが、前記カートリッジケースの一側に取り付けられ、前記スライドドアを前記バネ部材の付勢力に抗して所定位置に仮止めする係合手段が前記スライドドアと前記ドアユニットのケースとの間に設けられていることを特徴とする磁気テープカートリッジ。
【発明の詳細な説明】
【技術分野】
【０００１】
本発明は、磁気テープを巻装した単一のリールがカートリッジケース内に回転可能に収容された磁気テープカートリッジに関し、特に、上記磁気テープの一端を引き出すためのテープ引出用開口部を開閉するスライドドアを閉位置に向かって付勢するバネ部材の構成に関するものである。
【背景技術】
【０００２】
従来、コンピュータ等の外部記憶装置に用いられる記録媒体として使用されている磁気テープカートリッジには、磁気テープを巻装した単一のリールが、上ハーフと下ハーフとからなるほぼ正方形の平面形を有する偏平なカートリッジケース内に回転可能に収容されているものがある。これらの磁気テープカートリッジは主としてコンピュータメモリのバックアップとして用いられる。
【０００３】
従来のこの種の磁気テープカートリッジには、例えば２種類の形式があって、その１つは、不使用時に磁気テープが完全にリールに巻き込まれた状態で、磁気テープの先端部分が、カートリッジケースの一隅に形成されたテープ引出し用開口部を覆うように収容されるリーダーブロックに係止されるように構成されている。
【０００４】
また、他の形式のものは、カートリッジケースの一側壁に形成されたテープ引出し用開口部にカートリッジ平面方向に回動開閉可能なリッドが、閉位置に向かってばね付勢された態様で、かつカートリッジ不使用時には回動しないように、ロック位置にばね付勢されたリッドロックにより閉位置に係止される態様で取り付けられていて、このテープ引出し用開口部内に組み込まれるフックに磁気テープの先端部分が係止されるように構成されている。
【０００５】
このような構成を有する磁気テープカートリッジが、対応する外部記憶装置の記録再生装置にセットされると、下ハーフの中央部に露呈しているリールの係合歯に装置側の回転駆動手段が係合するとともに、前者の場合には、装置側のテープ引出し機構により上記リーダーブロックがそのまま磁気テープとともに引き出されることによって、また後者の場合には、装置側のテープ引出し機構により先にリッドが開かれてから、上記フックが磁気テープとともに引き出されることによって、磁気テープがテープ走行路の所定位置に引き込まれ、磁気テープへのデータの書込み／読出しが可能になる。
【発明の開示】
【発明が解決しようとする課題】
【０００６】
ところで、上述した２種類の磁気テープカートリッジのうち、前者のリーダーブロックを用いるものは、テープ引出しに際してリーダーブロックを掴んで引き出すだけでよいから装置側のテープ引出し機構が簡単になる長所はあるものの、カートリッジ不使用時にテープ引出し用開口部とリーダーブロックとの間の隙間からカートリッジ内部に塵埃が侵入しやすいという欠点があった。
【０００７】
一方、後者の開閉リッド形式のものは、カートリッジ内部に塵埃が侵入しやすいという問題は解決されてはいるものの、テープ引出しに際して、先ずリッドロックを解除してからリッドを開かなければならないから、装置側のテープ引出し機構が複雑になるとともに、回動型のリッドの回動スペースを必要とするという問題があった。また、カートリッジ側においても、カートリッジ組立て時において、リッド付勢用のトーションばねおよびリッドロック付勢用のコイルばねの組み込みに工数を要するという問題もあった。
【０００８】
そこで、テープ引出し用開口部を開閉するためのスライドドアを設けるとともに、このスライドドアを閉位置に向かって付勢するバネ部材をスライドドアの移動通路に配置することも提案されたが、上記スライドドアのスライドストロークが比較的長いため、これに対応するストロークの大きいバネ部材を狭いスペースに配置することは困難であり、所望のバネ特性が得られ難いという問題であった。
【０００９】
上述の事情に鑑み、本発明は、テープ引出し用開口部を開閉するスライドドアを備えた磁気テープカートリッジにおける上記バネ部材のバネ特性に関する問題を効果的に解決することを目的とするものである。
【課題を解決するための手段】
【００１０】
本発明は、スライドドアと、このスライドドアを閉位置に向かって付勢するバネ部材とを別体のケース内に組み込んだドアユニットをカートリッジケースの一側に取り付け、このスライドドアをバネ部材の付勢力に抗して所定位置に仮止めする係合手段をスライドドアとドアユニットのケースとの間に設けることにより上記目的を達成するものである。
【発明の効果】
【００１１】
本発明において、スライドドアと、このスライドドアを閉位置に向かって付勢するバネ部材とを別体のケース内に組み込んだドアユニットがカートリッジケースに取り付けられる構成を採用することにより、バネ部材の組付けが容易になり、また、スライドドアを仮止めする係合手段をスライドドアとドアユニットのケースとの間に設けることにより、カートリッジケースに対するドアユニットの取付けが容易にできる。
【発明を実施するための最良の形態】
【００１２】
以下、本発明の実施の形態を図面に基づいて詳細に説明する。
【００１３】
図１および図２は、本発明による磁気テープカートリッジの斜視図を示し、図１はそのスライドドアの閉状態を、図２はスライドドアの開状態をそれぞれ示す。
【００１４】
磁気テープカートリッジには、上ハーフ１ａと下ハーフ１ｂとからなるカートリッジケース１内に、磁気テープを巻装した単一のリールが回転可能に収容されている。カートリッジケース１の一側壁には、磁気テープの一端を引き出すためのテープ引出用開口部２が上ハーフ１ａと下ハーフ１ｂとに跨がって、かつコーナー部に近接して形成されているとともに、このテープ引出用開口部２を開閉するスライドドア３がこの磁気テープカートリッジの外部装置に対する挿入方向と平行な方向に摺動可能に設けられている。スライドドア３は、後述するように、カートリッジケース１内部においてカートリッジケース１とスライドドア３との間に介装されたバネ部材によって閉位置に向かって付勢され、かつ閉位置に保持されるようになっている。
【００１５】
テープ引出用開口部２の内側には、図２に示すような凹部６が形成され、この凹部６内に、磁気テープの先端部分をクランプしたリーダーピン４が収容されており、この磁気テープカートリッジが対応する外部記憶装置等の記録再生装置に挿入されると、下ハーフ１ｂの中央部の開口に露呈している図示しないリールの係合歯に装置側の回転駆動手段が係合するとともに、装置側の部材がスライドドア３の前端面３ａに当接してスライドドア３が開かれ、かつ装置側のテープ引出し機構によりリーダーピン４が磁気テープとともに装置側に引き込まれることによって、磁気テープが装置側にセットされ、磁気テープに対するデータの書込み／読出しが可能になる。
【００１６】
また、カートリッジケース１の一側には、磁気テープの消去および二重書込みを防止するための回動式の操作つまみ５が露出している。
【００１７】
図３（ａ），（ｂ）は、本発明による磁気テープカートリッジにおけるスライドドア付勢構造の第１の実施の形態を示す概略的正面図で、図３（ａ）はスライドドアの閉状態を、図３（ｂ）はスライドドアの開状態をそれぞれ示す。また、図４（ａ）はスライドドアを裏面側から見た概略的斜視図、図４（ｂ）はスライドドアを後方から見た側面図である。
【００１８】
カートリッジケース１の内部のスライドドア３の移動通路７には、このスライドドア３を閉位置に向かって付勢しかつ閉位置に保持するための波状の板バネからなるバネ部材６が設けられている。スライドドア３の裏面には、図４に示すように、その後端面３ｂ側から前端面３ａ側に向かって延びる凹部３ｃが形成されており、この凹部３ｃ内に、後端をカートリッジケース１の壁面１ｃに当接させたバネ部材６の前半部分が収容され、バネ部材６の前端が上記凹部３ｃの前端壁面３ｄに当接している。
【００１９】
このような構成により、図３（ｂ）に示すように、スライドドア３が開かれて、スライドドア３の後端面３ｂとカートリッジケース１の壁面１ｃとの距離が狭まった状態においても、バネ部材６は余裕をもって所要の付勢力を保持していることになる。
【００２０】
なお、スライドドア３の裏面に形成された凹部３ｃに代えて、図４（ａ），（ｂ）に対応させた図５（ａ），（ｂ）に示すような、スライドドア３の後端面３ｂ側から前端面３ａ側に向かって延びる盲孔状の凹部３ｅを形成し、この凹部３ｅ内にバネ部材６の前半部分を収容するようにしてもよい。
【００２１】
次の図６は、本発明による磁気テープカートリッジにおけるスライドドア付勢構造の第２の実施の形態を示す概略的斜視図である。本実施の形態では、スライドドア３の上部の一部に切欠き３ｆを形成し、この切欠き３ｆ内に、コイルバネからなるバネ部材８の前半部分を装着したものである。このバネ部材８の前端は切欠き３ｆの前端壁面３ｇに当接し、後端は上ハーフ１ａに形成された係止壁９に当接している。１０はバネ部材８の仮止め用リブである。
【００２２】
本実施の形態においても、上述した第１の実施の形態と同様の効果を有すること明らかである。
【００２３】
図７（ａ），（ｂ）は、本発明による磁気テープカートリッジにおけるスライドドア付勢構造の第３の実施の形態を示す概略的正面図で、図７（ａ）はスライドドアの閉状態を、図７（ｂ）はスライドドアの開状態をそれぞれ示す。
【００２４】
本実施の形態は、図３（ａ），（ｂ）に示す第１の実施の形態と同様に、スライドドア３の裏面に凹部３ｃが形成され、この凹部３ｃ内にバネ部材の一部分が収容されているが、この場合のバネ部材は、間にスライドプレート１１を介して直列的に配置された２本のバネ部材６Ａ，６Ｂからなり、かつ一方のバネ部材６Ａが他方のバネ部材６Ｂよりも付勢力の強いバネとなっている。
【００２５】
本実施の形態によれば、バネ部材６Ａ，６Ｂの付勢力に抗してスライドドア３を開くとき、先ず弱いバネ部材６Ｂが圧縮され、次いで強いバネ部材６Ａが圧縮されることにより、スライドドア３のスライドストローク全体に亘って比較的一定のバネ特性を得ることができ、ドア開閉力の調整が容易となる。
【００２６】
図８（ａ），（ｂ）は、本発明による磁気テープカートリッジにおけるスライドドア付勢構造の第４の実施の形態を示す概略的正面図で、図８（ａ）はスライドドアの閉状態を、図８（ｂ）はスライドドアの開状態をそれぞれ示す。
【００２７】
本実施の形態も２本のバネ部材６Ａ，６Ｂを備えているが、これら２本のバネ部材６Ａ，６Ｂはスライドドア３の移動通路７に並列的に配置され、かつ一方のバネ部材６Ａが他方のバネ部材６Ｂよりも長いバネとなっている。
【００２８】
本実施の形態は、一方のハーフ、例えば上ハーフ１ａに凹部１２等の障害物が存在して、長いバネ部材を配置することが不可能なような場合、上ハーフ１ａには幅狭の短いバネ部材６Ａを、下ハーフ１ｂには幅狭の長いバネ部材６Ｂを配置することにより、全体として所望の付勢力を得るようにしたものである。
【００２９】
次の図９（ａ），（ｂ）は、本発明による磁気テープカートリッジにおけるスライドドア付勢構造の第５の実施の形態を示す概略的正面図で、図９（ａ）はスライドドアの閉状態を、図９（ｂ）はスライドドアの開状態をそれぞれ示す。
【００３０】
本実施の形態は、金属製バネ部材に代え、ゴムリングのようなリング状弾性部材１３を所要の複数個（図９では３個）スライドドア３の移動通路７に直列的に配列したものである。
【００３１】
ゴムリングのようなリング状弾性部材１３は、製作が容易であり、かつ図９（ｂ）に示すようにはほぼ平坦な状態に圧縮されるまで付勢力を失わないから、これらを複数個直列的に配列することによって、ストロークの長いかつ所要の付勢力を備えたバネ部材を得ることができる。
【００３２】
図１０（ａ），（ｂ）は、本発明による磁気テープカートリッジにおけるスライドドア付勢構造の第６の実施の形態を示す概略的正面図で、図１０（ａ）はスライドドアの閉状態を、図１０（ｂ）はスライドドアの開状態をそれぞれ示す。
【００３３】
本実施の形態は、図９のゴムリングのようなリング状弾性部材１３に代え、渦巻状の、すなわちコイルリング形状弾性部材１４を所要の複数個（図１０では３個）スライドドア３の移動通路７に直列的に配列したものである。本実施の形態によっても、上述した第５の実施の形態と同様の効果が得られること明らかである。
【００３４】
図１１（ａ）〜（ｄ）は、本発明による磁気テープカートリッジにおけるスライドドア付勢構造の第７の実施の形態を示す概略的正面図で、図１１（ａ）はスライドドアの閉状態を示し、図１１（ｂ）〜（ｄ）はスライドドアを閉位置から開いていく状態をそれぞれ示す。
【００３５】
本実施の形態は、第１の実施の形態における波状に折り曲った板バネからなるバネ部材に代えて、２箇所のコイル部１６ａ，１６ｂを有する波状の線バネからなるバネ部材１６をスライドドア３の移動通路７に設けたものである。なお、図１１以降の正面図においては、便宜上移動通路７を解放した状態を示す。
【００３６】
このような構成により、スライドドア３を開くと、図１１（ｂ）に示すようにバネ部材１６が収縮するとともに、図１１（ｃ），（ｄ）に示すようにバネ部材１６の曲げ部の一部が他の曲げ部に乗り上げてコイル部１６ａ，１６ｂを支点として互いに交差することとなる。したがって、バネ部材１６のストローク長を増大させることができる。
【００３７】
なお、上記第７の実施の形態においては、バネ部材１６に２箇所のコイル部１６ａ，１６ｂを設けているが、これに限定されるものではなく、１箇所のみあるいは３箇所以上のコイル部を設けるようにしてもよい。このように、コイル部の数を変更することにより、所望とするバネ特性のバネ部材１６を得ることができる。また、コイル部における線バネの巻き数を変更することによっても、所望とするバネ特性のバネ部材１６を得ることができる。
【００３８】
図１２〜図１５は本発明による磁気テープカートリッジにおけるスライドドアの付勢構造の第８の実施の形態を示す図で、図１２（ａ）はスライドドアの閉状態を、図１２（ｂ）はスライドドアの開状態をそれぞれ示す概略的正面図である。また、図１３は、バネ部材規制板を取り付けたスライドドアの斜視図、図１４は図１２（ａ）の XIV−XIV 線に沿った拡大断面図、図１５は図１２（ｂ）のXV−XV線に沿った断面図である。
【００３９】
前述のように、スライドドア３は比較的長いスライドストロークを有するので、スライドドア３を閉位置に向かって付勢するバネ部材としてコイルバネを用いると、スライドドア３の開動作時にコイルバネ座屈するおそれがある。そこで、本実施の形態では、スライドドア３の後端（スライドドア３が開くときのリーディング側の端）にバネ部材規制板１８を取り付けることによって、コイルバネからなるバネ部材２０の座屈を防止している。
【００４０】
すなわち、本実施の形態においては、図１３に示すように、スライドドア３の後端（スライドドア３が開くときのリーディング側の端）に、スライドドア３のスライド方向にほぼ平行な上下縁部１８ａ，１８ａを備えてスライドドア３の移動通路７内に延びる長方形のバネ部材規制板１８が取り付けられている。そして、上記移動通路７には、上記バネ部材規制板１８を受容するための延長部１９がスライドドア３側とは反対側に連接されている。
【００４１】
このバネ部材規制板１８は、スライドドア３の高さ寸法よりも短い高さ寸法を有し、図１４から明らかなように、スライドドア３を閉位置に向かって付勢するコイルバネからなるバネ部材２０，２０がバネ部材規制板１８の上下縁部１８ａ，１８ａと移動通路７の周壁とによって囲まれた空間内に収容されている。
【００４２】
したがって、スライドドア３の開動作時にバネ部材２０が圧縮されても、各バネ部材２０は、移動通路７の壁面とバネ部材規制板１８の縁部１８ａとによって規制されて、座屈するおそれがなく、常にその軸線をスライドドア３の移動方向に保つことができる。
【００４３】
なお、一般にスライドドア３の移動通路７の延長方向には、例えば図１５に示すように、位置決め用ノッチ１７等が設けられているために、移動通路７の延長部１９を移動通路７の延長線上に設けることができないことがある。その場合は、図１５に示すように、ノッチ１７を避けて延長部１９を移動通路７に対して湾曲させて設けるとともに、バネ部材規制板１８を可撓性を有する材料で形成して、バネ部材規制板１８が湾曲した延長部１９に沿ってスライドするようにすればよい。
【００４４】
次の図１６（ａ），（ｂ）および図１７は本発明による磁気テープカートリッジにおけるスライドドアの付勢構造の第９の実施の形態を示す図で、図１６（ａ）はスライドドアの閉状態を、図１６（ｂ）はスライドドアの開状態をそれぞれ示す概略的正面図、図１７は図１６（ａ）のXVII−XVII線に沿った拡大断面図である。
【００４５】
本実施の形態も、コイルバネからなるバネ部材２０の座屈を防止するための構成であって、スライドドア３の移動通路７の両側壁面に、スライドドア３の移動方向に延びる凹溝２１，２１が図１７に示すように互いに対向して形成されて、移動通路７の両側壁面間の間隔ａよりも大きい幅ｂを有するバネ部材収容用空間が画成され、この空間内に、コイルバネからなるバネ部材２０が収容されている。
【００４６】
この構成は、コイルバネからなるバネ部材２０の座屈を防止することができるのみでなく、バネ部材２０として、間隔ａよりも大径のコイルバネを使用することができるから、バネ部材２０の選定の自由度が増大する。また、例えば図１８に示すように、移動通路７の後方に位置決めやハンドリングのための切欠き１７′等が存在して、図１１に示すような波形の折曲げバネ１６ではバネストロークが制限されてしまう場合であっても、カートリッジケース１の内寸全体に亘ってバネ収容用空間を確保することができる。
【００４７】
なお、上記凹溝２１，２１は、上下ハーフ１ａ，１ｂの接合部分に設ければよいが、図１７に示すように、凹溝２１，２１を設ける位置を若干上ハーフ１ａあるいは下ハーフ１ｂ側に偏らすことによって、カートリッジケース１の組立て時にバネ部材２０を上ハーフ１ａあるいは下ハーフ１ｂに組み付けることができるから、組立性が向上する。
【００４８】
次の図１９〜図２１は本発明による磁気テープカートリッジにおけるスライドドアの付勢構造の第１０の実施の形態を示す図で、図１９（ａ）はスライドドアの閉状態を、図１９（ｂ）はスライドドアの開状態をそれぞれ示す概略的正面図である。また、図２０は図１９（ａ）のXX−XX線に沿った拡大断面図、図２１（ａ），（ｂ），（ｃ）はそれぞれ、図２０のＡ−Ａ線，Ｂ−Ｂ線，Ｃ−Ｃ線に沿った断面図である。
【００４９】
本実施の形態も、コイルバネからなるバネ部材２０の座屈を防止するための構成であって、スライドドア３の後端（スライドドア３が開くときのリーディング側の端）に、後方へ延びるバネ部材支持軸２２が取り付けられ、このバネ部材支持軸２２にコイルバネからなるバネ部材２０が嵌挿されていることによって、バネ部材２０の安定が図られている。
【００５０】
本実施の形態の場合も、図２１（ｃ）に示すように大径のコイルスプリングを使用し得るようにするために、図１６，図１７に示した実施の形態と同様に、移動通路７の両側壁面間の間隔よりも大きい幅を有するバネ収容用空間を設けることが望ましい。また、カートリッジケース１には、バネ部材支持軸２２を挿通させる軸孔２３ａを備えた壁２３がバネ受け座としてスライドドア３の移動通路７の後方に設けられるが、図２１に示すように、バネ部材支持軸２２の側面に平面部を設けるとともに、バネ部材支持軸２２を挿通させる軸孔２３ａの形状もバネ部材支持軸２２の断面形状に対応した形状にすることにより、バネ部材２０がバネ部材支持軸２２と軸孔２３ａとの間の隙間に入り込むのを防止することができるとともに、バネ受け座の面積が増大するから、バネ部材２０の終端を壁２３で安定に受けることができる。
【００５１】
このようなバネ部材支持軸２２をスライドドア３に設けることにより、図２２（ａ）に示すように、コイルバネからなるバネ部材２０を例えば下ハーフ１ｂに容易に組み込むことができるが、バネ部材支持軸２２が無い場合には、図２２（ｂ）に示すように、バネ部材２０が座屈して組込みが困難になる。
【００５２】
この場合も、図２３および図２４に示すように、スライドドア３の後端部に凹部３ｃを形成し、この凹部３ｃの奥端壁部３ｄからバネ部材支持軸２２を突設して上記壁部３ｄをバネ部材２０の一方の受け座とし、カートリッジケース１の壁面１ｃとの間にコイル状バネ部材２０を縮装することにより、バネ部材２０のストロークを増大させることができるとともに、バネ部材２０の選定範囲を広げることができる。
【００５３】
さらに、図２５に示すように、バネ部材支持軸２２の先端部に、バネ部材２０の終端を仮止めする凸部２２ａを設け、予めバネ部材２０をバネ部材支持軸２２に組み付けておくことにより、組込み適性はさらに向上する。その場合に、バネ部材支持軸２２の先端を、バネ部材支持軸２２の外径よりも小径にすることにより、自動組立てによるバネ部材２０のバネ部材支持軸２２への挿入が容易になる。
【００５４】
また、バネ部材支持軸２２の先端部に設けるバネ部材仮止め用凸部は、図２６（ａ）に示すように、一対の弾性片２２ｂ，２２ｂを備えた先割れ構造とすることが好ましい。その場合は、バネ部材支持軸２２の先端部を壁２３の軸孔２３ａに挿入するとき、軸孔２３ａの開口径を小さくしても、図２６（ｂ）に示すように、弾性片２２ｂ，２２ｂが互いに接近して、バネ部材支持軸２２の先端部の軸孔２３ａへの挿入が容易となる。そして、この挿入に伴って、バネ部材２０の終端はバネ受け座を構成する壁２３に受けられる。
【００５５】
もちろん、上記軸孔２３ａの開口径は、図２６（ｃ）に示すように、上記弾性片２２ｂ，２２ｂが変形しない大きさであってもよい。その場合であっても、図２０，図２１に示すように、弾性片２２ｂ，２２ｂを含むバネ部材支持軸２２の両側面に平面部を形成し、かつ軸孔２３ａの形状をバネ部材支持軸２２の断面形状に対応した形状にすることにより、バネ部材２０の終端を壁２３で安定に受けることができる。
【００５６】
さらに、コイルバネからなるバネ部材２０の複数箇所に、図２７に示すような間隔の密な部分２０ａを設けておくと、バネ部材２０の剛性が増大し、座屈を防止することができる。
【００５７】
また、上記バネ部材支持軸２２は、スライドドア３と一体成形で形成することが望ましく、これによって部品点数の増加を防ぐことができるが、図２８（ａ）〜（ｃ）に示すように、スライドドア３とは別の部品で形成してもよい。すなわち、図２８（ａ）はバネ部材支持軸の要部平面図、図２８（ｂ）はバネ部材支持軸の側面図、図２８（ｃ）はスライドドアの凹部を示す要部断面図である。バネ部材支持軸２２は、図２６に示すような先端部の構成を有する軸本体２２ｃと、軸本体２２ｃの根元部に形成された細径部２２ｄと、細径部２２ｄに連接する基端部２２ｅとからなり、基端部２２ｅは、回転を防止するために両側面が平面となっている。このような構成を有するバネ部材支持軸２２は、根元部側からバネ部材２０を装着された後、図２８（ｃ）に示すような、バネ部材支持軸２２の根本部に対応する形状を有するスライドドア３の凹部２４に上方から挿入されて、図２９に示すようにスライドドア３に固定される。
【００５８】
図３０〜図３２は本発明による磁気テープカートリッジにおけるスライドドアの付勢構造の第１１の実施の形態を示す図で、図３０はカートリッジケースにドアユニットが組み付けられる状態を示す斜視図、図３１（ａ）はドアユニットにおいてスライドドアが仮止めされた状態を示す断面正面図、図３１（ｂ）はスライドドアがスライド可能になった状態を示す断面正面図、図３２は図３１（ｂ）のＡ−Ａ線に沿った拡大断面図である。
【００５９】
本実施の形態は、スライドドア３が設けられるべきカートリッジケース１の上下ハーフ１ａ，１ｂの側壁が取り除かれ、その代わりに、スライドドア３と、このスライドドア３を閉位置に向かって付勢する複数本のコイルバネからなるバネ部材２０とをケース２５内に予め組み込んだ別体のドアユニット３０が、カートリッジケース１に接着または嵌合によって後付けされるように構成されたものである。ケース２５には、図１のテープ引出し用開口部２に相当する開口部２５ａが形成されている。
【００６０】
また、本実施の形態のドアユニット３０では、カートリッジケース１への取付けに先立って、複数本のバネ部材２０をケース２５内に組み込んだ後、スライドドア３をバネ部材２０の付勢力でケース２５から飛び出さないように仮止めしておくための仮止め機構を備えている。
【００６１】
この仮止め機構は、図３１に示すように、スライドドア３の移動通路の頂壁面と底壁面とにそれぞれ突設された係合突起２５ｂと、各係合突起２５ｂにそれぞれ係合すべくスライドドア３の上縁と下縁とにそれぞれ凹設された係合凹部３ｆとからなり、バネ部材２０をケース２５のスライドドア移動通路内に組み込んだ後、スライドドア３を図の右方の開口からスライドドア移動通路内に挿入して、図３１（ａ）に示すように、各係合凹部３ｆを各係合突起２５ｂに係合させることにより、スライドドア３の仮止めがなされる。そして、この状態でドアユニット３０をカートリッジケース１へ組み付けた後、図３１（ｂ）に示すように、スライドドア３を左方に押して係合凹部３ｆと係合突起２５ｂとの係合を外すことにより、スライドドア３はスライド可能となる。
【００６２】
さらに本実施の形態では、バネ部材２０の安定な動作を期するために、図３２に示すようなスライドドア３のスライド方向に延びる複数本のリブ２５ｃが、スライドドア移動通路の両側面に対向して突設されている。
【００６３】
本実施の形態によれば、スライドドア３とバネ部材２０とをケース２５内に予め組み込んだ別体のドアユニット３０がカートリッジケース１に後付けされるように構成されているので、バネ部材２０の装着が容易であり、また、スライドドア３の仮止め機構を備えているので、カートリッジケース１に対するドアユニット３０の組付けも容易である。
【００６４】
ところで、スライドドア３を閉位置に向かって付勢するバネ部材として、例えば図３３（ａ）に示すような波状に折り曲げた線バネを用いる場合、スライドドア３の端面に当接するバネ部材の終端部が、スライドドア３とカートリッジケース１との間の隙間に入り込むおそれがある。そこで、本発明による磁気テープカートリッジにおけるスライドドアの付勢構造の第１２の実施の形態では、バネ部材２６の終端部２６ａに、図３３（ｂ）に示すような、スライドドア３の端面に沿った折曲げ部２７を形成することにより、上記のようなおそれを無くすことができる。
【００６５】
さらに、本発明による磁気テープカートリッジにおけるスライドドアの付勢構造の第１３の実施の形態では、スライドドア３を閉位置に向かって付勢するバネ部材としてコイルバネを用いる場合において、図３４（ａ），（ｂ）に示すように、スライドドア３のスリット状断面形状に対応した長方形ないし長円形または楕円形の環状部を備えたバネ部材２８を用いている。これにより、バネ部材の座屈を防止し、かつバネ部材の組込性を向上させることができる。
【００６６】
図３５および図３６は、本発明による磁気テープカートリッジにおけるスライドドアの付勢構造の第１４の実施の形態を示す図で、図３５（ａ），（ｂ）はスライドドアおよびバネ部材を示す正面図、図３６はバネ部材の分解斜視図である。
【００６７】
本実施の形態では、スライドドア３を閉位置に向かって付勢するバネ部材が、コイルバネ３２と、このコイルバネ３２の一端（図３５（ａ））または両端（図３５（ｂ））に結合された板バネ３１とから構成されている。すなわち、板バネ３１は、コイルバネ３２の終端が嵌合する凸部３１ｂを中心に設けた中央板部３１ａと、この中央板部３１ａの両端から折り曲げられてスライドドア３に向かって延びる翼部３１ｃ，３１ｃとからなり、翼部３１ｃ，３１ｃの先端は、スライドドア３の端面の上下端に突設された係合突起３ｇ，３ｇにそれぞれ係止されている。
【００６８】
本実施の形態によれば、板バネ３１を設けた分だけコイルバネ３２を短くすることができるから、コイルバネ３２が座屈しにくくなり、しかも、コイルバネ３２と板バネ３１の選択および組合わせにより、バネ設計の自由度を増大させることができる。
【００６９】
すなわち、コイルバネのみの場合は、図３７（ａ）に示すように、バネの変位と付勢力との関係が直線になるが、本実施の形態の場合には、図３７（ｂ）または図３７（ｃ）に示すように、バネの変位と付勢力との関係が折れ線になるから、バネ設計の自由度を増大させることができる。
【図面の簡単な説明】
【００７０】
【図１】本発明による磁気テープカートリッジを、スライドドアの閉状態で示す斜視    図
【図２】図１の磁気テープカートリッジを、スライドドアの開状態で示す斜視図
【図３】本発明による磁気テープカートリッジにおけるスライドドア付勢構造の第１の実施の形態を示す概略的正面図
【図４】図３のスライドドアを裏面側から見た概略的斜視図および側面図
【図５】スライドドアの変形を示す図４に対応する概略的斜視図および側面図
【図６】本発明による磁気テープカートリッジにおけるスライドドア付勢構造の第２の実施の形態を示す概略的斜視図
【図７】本発明による磁気テープカートリッジにおけるスライドドア付勢構造の第３の実施の形態を示す概略的正面図
【図８】本発明による磁気テープカートリッジにおけるスライドドア付勢構造の第４の実施の形態を示す概略的正面図
【図９】本発明による磁気テープカートリッジにおけるスライドドア付勢構造の第５の実施の形態を示す概略的正面図
【図１０】本発明による磁気テープカートリッジにおけるスライドドア付勢構造の第６の実施の形態を示す概略的正面図
【図１１】本発明による磁気テープカートリッジにおけるスライドドア付勢構造の第７の実施の形態を示す概略的正面図
【図１２】本発明による磁気テープカートリッジにおけるスライドドア付勢構造の第８の実施の形態を示す概略的正面図
【図１３】バネ部材規制板を取り付けたスライドドアの示す斜視図
【図１４】図１２（ａ）の XIV−XIV 線に沿った拡大縦断面図
【図１５】図１２（ｂ）のXV−XV線に沿った横断面図
【図１６】本発明による磁気テープカートリッジにおけるスライドドア付勢構造の第９の実施の形態を示す概略的正面図
【図１７】図１６（ａ）のXVII−XVII線に沿った拡大縦断面図
【図１８】本発明の第９の実施の形態の効果の説明に供する図
【図１９】本発明による磁気テープカートリッジにおけるスライドドア付勢構造の第１０の実施の形態を示す概略的正面図
【図２０】図１９（ａ）のXX−XX線に沿った拡大断面図
【図２１】図２０のＡ−Ａ線，Ｂ−Ｂ線，Ｃ−Ｃ線に沿った断面図
【図２２】本発明の第１０の実施の形態の効果の説明に供する図
【図２３】図１９のバネ部材支持軸をスライドドアの凹部内から突設した場合の断面図
【図２４】図２３におけるスライドドアの正面図
【図２５】図１９のバネ部材支持軸の変形を示す正面図
【図２６】図２５のバネ部材支持軸の変形を示す正面図
【図２７】図２６のコイルバネの変形を示す正面図
【図２８】図２６のバネ部材支持軸をスライドドアとは別の部品で形成した場合のバネ部材支持軸の要部平面図、側面図およびスライドドアの要部横断面図
【図２９】図２８のバネ部材支持軸をスライドドアに固定した状態を示す要部横断面図
【図３０】本発明による磁気テープカートリッジにおけるスライドドアの付勢構造の第１１の実施の形態を示す斜視図
【図３１】そのドアユニット要部縦断面図
【図３２】図３１（ｂ）のＡ−Ａ線に沿った拡大断面図
【図３３】本発明による磁気テープカートリッジにおけるスライドドアの付勢構造の第１２の実施の形態のバネ部材を示す正面図および断面図
【図３４】本発明による磁気テープカートリッジにおけるスライドドアの付勢構造の第１３の実施の形態のバネ部材を示す正面図および斜視図
【図３５】本発明による磁気テープカートリッジにおけるスライドドアの付勢構造の第１４の実施の形態のバネ部材を示す正面図
【図３６】そのバネ部材の分解斜視図
【図３７】本発明の第１４の実施の形態の効果の説明に供する図
【符号の説明】
【００７１】
１    カートリッジケース
１ａ    上ハーフ
１ｂ    下ハーフ
２    テープ引出用開口部
３    スライドドア
４    リーダーピン
６，６Ａ，６Ｂ，８，１６，２０，２６，２８    バネ部材
７    スライドドアの移動通路
１１    スライドプレート
１３    リング状弾性部材
１４    コイルリング形状弾性部材
１８    バネ部材規制板
１９    スライドドアの移動通路の延長部
２１    凹溝
２２    バネ部材支持軸
２５    ドアユニットのケース
３０    ドアユニット
３１    板バネ
３２    コイルバネ
【図１】
2006294253.tif 000003
【図２】
2006294253.tif 000004
【図３】
2006294253.tif 000005
【図４】
2006294253.tif 000006
【図５】
2006294253.tif 000007
【図６】
2006294253.tif 000008
【図７】
2006294253.tif 000009
【図８】
2006294253.tif 000010
【図９】
2006294253.tif 000011
【図１０】
2006294253.tif 000012
【図１１】
2006294253.tif 000013
【図１２】
2006294253.tif 000014
【図１３】
2006294253.tif 000015
【図１４】
2006294253.tif 000016
【図１５】
2006294253.tif 000017
【図１６】
2006294253.tif 000018
【図１７】
2006294253.tif 000019
【図１８】
2006294253.tif 000020
【図１９】
2006294253.tif 000021
【図２０】
2006294253.tif 000022
【図２１】
2006294253.tif 000023
【図２２】
2006294253.tif 000024
【図２３】
2006294253.tif 000025
【図２４】
2006294253.tif 000026
【図２５】
2006294253.tif 000027
【図２６】
2006294253.tif 000028
【図２７】
2006294253.tif 000029
【図２８】
2006294253.tif 000030
【図２９】
2006294253.tif 000031
【図３０】
2006294253.tif 000032
【図３１】
2006294253.tif 000033
【図３２】
2006294253.tif 000034
【図３３】
2006294253.tif 000035
【図３４】
2006294253.tif 000036
【図３５】
2006294253.tif 000037
【図３６】
2006294253.tif 000038
【図３７】
2006294253.tif 000039